(57)【特許請求の範囲】
【請求項１】
排水路と、
左右方向に拡がり上下方向に延びており、下端部に前記排水路の流入口が連通した第１立壁と、
この第１立壁の左右両端に連続して上下方向に延び、前記第１立壁との間で溜水部を形成する第２立壁と、
前記第１立壁と前記第２立壁の上端から上方外向きに拡がる鉢と、
前記第１立壁の表面に対して左右方向の１方の斜め前方の前記第２立壁の上端から前記第１立壁の表面に向けて斜め下方に流れて、前記第１立壁の表面に衝突する主流を吐水する第１吐水口と、
を備え、
前記第１吐水口、及び前記主流が流れる前記第２立壁は、前記第１立壁の表面に対して左右方向の１方に位置していることを特徴とする汚物排出装置。
【請求項２】
前記第１立壁と前記第２立壁との間に形成された溜水面の形状が三角形状であることを特徴とする請求項１記載の汚物排出装置。
【請求項３】
前記主流は、前記第１立壁の表面に対して左右方向の１方に位置する前記第２立壁を流れて前記第１立壁の表面に衝突することを特徴とする請求項２記載の汚物排出装置。
【請求項４】
前記主流の流れと異なる位置で第２立壁の上端から第１立壁と第２立壁との間に向けて下方に流れる副流を吐水する第２吐水口を備えていることを特徴とする請求項１乃至３のいずれか１項記載の汚物排出装置。
【発明の詳細な説明】
【技術分野】
【０００１】
本発明は汚物排出装置に関するものである。
【背景技術】
【０００２】
特許文献１は従来の汚物排出装置であるオストメイト用汚物流しを開示している。この汚物排出装置は、排水路、第１立壁、第２立壁、鉢、及び吐水口を備えている。第１立壁は、左右方向に拡がり上下方向に延びており、下端部に排水路の流入口が連通している。第２立壁は、第１立壁の左右両端に連続して上下方向に延び、第１立壁との間で溜水部を形成している。鉢は、第１立壁及び第２立壁の上端に連続して上方外向きに広がっている。吐水口は、鉢の左側の後部に前方を向いて開口しており、洗浄水を吐水する。吐水口から吐水された洗浄水は、鉢の表面を反時計方向に旋回して第１立壁と第２立壁との間に流れ込む。このため、この汚物排出装置は、吐水口から吐水された洗浄水が、鉢の表面と、第１立壁及び第２立壁との間を旋回して流れ、洗浄することができる。
【先行技術文献】
【特許文献】
【０００３】
【特許文献１】特許第４９４１３３６号公報
【発明の概要】
【発明が解決しようとする課題】
【０００４】
しかし、特許文献１の汚物排出装置は、旋回する洗浄水の流れで汚物を排水路に搬送する。このため、この汚物排出装置は、第１立壁の下端部に設けられた排水路の流入口に向けて下方向に流れる洗浄水の水勢が弱く、汚物が排水路に搬送されずに残留してしまうおそれがある。
【０００５】
本発明は、上記従来の実情に鑑みてなされたものであって、汚物を良好に排出することができる汚物排出装置を提供することを解決すべき課題としている。
【課題を解決するための手段】
【０００６】
本発明の汚物排出装置は、
排水路と、
左右方向に拡がり上下方向に延びており、下端部に前記排水路の流入口が連通した第１立壁と、
この第１立壁の左右両端に連続して上下方向に延び、前記第１立壁との間で溜水部を形成する第２立壁と、
前記第１立壁と前記第２立壁の上端から上方外向きに拡がる鉢と、
前記第１立壁の表面に対して左右方向の１方の斜め前方の前記第２立壁の上端から前記第１立壁の表面に向けて斜め下方に流れて、前記第１立壁の表面に衝突する主流を吐水する第１吐水口と、
を備え、
前記第１吐水口、及び前記主流が流れる前記第２立壁は、前記第１立壁の表面に対して左右方向の１方に位置していることを特徴とする。
【０００７】
本発明の汚物排出装置は、左右方向に拡がり上下方向に延びた第１立壁に対して、主流が斜め前方の第２立壁の上端から第１立壁の表面に向けて斜め下方に流れて衝突する。第１立壁に衝突した洗浄水は、下方向の流れも有しているため、排水路の流入口に向けた流れが生じる。このため、この汚物排出装置は、第１立壁と第２立壁との間で汚物と洗浄水とを撹拌しつつ、浮遊汚物や重い汚物を排水路へ搬送することができる。
【０００８】
したがって、本発明の汚物排出装置は汚物を良好に排出することができる。
【図面の簡単な説明】
【０００９】
【図１】実施例の汚物排出装置を示す斜視図である。
【図２】実施例の汚物排出装置を示す上面図である。
【図３】図２に示す矢視Ａ−Ａ断面図である。
【図４】図３に示す矢視Ｂ−Ｂ断面図である。
【発明を実施するための形態】
【００１０】
本発明における好ましい実施の形態を説明する。
【００１１】
本発明における汚物排出装置は、第１立壁と第２立壁との間に形成された溜水面の形状が三角形状であり得る。この場合、溜水面を三角形状にする第１立壁と第２立壁とのそれぞれの表面に主流が衝突することで、主流の反時計方向への過旋回を抑制することができ、汚物と洗浄水とを満遍なく撹拌しつつ、排水路の流入口に向けた流れを生じさせることができる。このため、この汚物排出装置は、汚物を排水路に良好に搬送し、排出することができ、さらに、溜水面を狭くすることができる。
【００１２】
本発明における汚物排出装置は、主流の流れと異なる位置で第２立壁の上端から第１立壁と第２立壁との間に向けた下方に流れる副流を吐水する第２吐水口を備え得る。この場合、この汚物搬出装置は、主流によって第１立壁と第２立壁との間で攪拌された汚物と洗浄水とを副流が排水路の流入口に押し込むため、汚物を排水路へ良好に搬送し、排出することができる。
【００１３】
次に、本発明の汚物排出装置を具体化した実施例について、図面を参照しつつ説明する。
【００１４】
＜実施例＞
実施例の汚物排出装置は、図１〜図４に示すように、オストメイト用壁掛け汚物流しである。この汚物流しは、排水路１０、第１立壁１１、第２立壁１２、溜水部１３、鉢１４、リム１５、第１吐水口１６、第２吐水口１７、及び周囲壁１８を備えている。
【００１５】
排水路１０は、図３に示すように、流入口１０Ｂから下流側に向けて斜め上後方（後方は、図３において右側。以下同じ）に延びている。排水路１０は下流端に後方に向けて開口した排水口１０Ａが設けられている。
【００１６】
第１立壁１１は、平板状であり左右方向（左右は、図３において奥手前。以下同じ）に拡がり上下方向に延びており、下端部に流入口１０Ｂが連通している。第２立壁１２は第１立壁１１の左右両端に連続して上下方向に延びている。第２立壁１２は下端が排水路１０の流入口１０Ｂの下部に連続している。第２立壁１２は、図２及び図３に示すように、下端部の全体に亘り、第１立壁１１に向けて延びる棚部１２Ａが形成されている。棚部１２Ａは両端が第１立壁１１の左右端に連続している。また、棚部１２Ａは内縁１２Ｂが円弧状である。また、棚部１２Ａは第２立壁１２から第１立壁１１に延びた幅が左右方向の中央で最も広くなっている。この棚部１２Ａは後述する溜水部１３に滞留した洗浄水内に水没する。
【００１７】
溜水部１３は、排水路１０の溢れ面の下端１０Ｃより下方に位置する第１立壁１１の下端部、及び第２立壁１２の下端部で囲まれた領域と、排水路１０の上流部とで形成されている。第１立壁１１と第２立壁１２とで囲まれた領域の溜水面１３Ａの外形形状は、上方から見た平面視において、ほぼ三角形状をなしている。
【００１８】
鉢１４は、図２〜図３に示すように、第１立壁１１の上端、及び第２立壁１２の上端から上方外向きに拡がり連続して延びている。鉢１４は、上方から見た平面視において四隅が弧状に形成され、左右方向に長いほぼ四角形状である。また、鉢１４は前側の上端部が後側の上端部より低い位置に形成されている。
【００１９】
リム１５は、図２〜図４に示すように、鉢１４の上端の全周に亘り連続しており、鉢１４の上端周縁部より内側に突出するように設けられている。リム１５は、図２に示すように、上方から見た平面視において、四隅が弧状に形成された左右方向に長いほぼ四角形状である。つまり、リム１５は、左右方向に延びる前側長辺部１５Ｊ、後側長辺部１５Ｋと、前後方向に延びる左側短辺部１５Ｌ、右側短辺部１５Ｍを有している。リム１５は、鉢１４の上端から上方に向けて連続した外周壁１５Ａ、鉢１４の上端と外周壁１５Ａとが連続する境から鉢１４の内側に向けて連続した底壁１５Ｂ、及び底壁１５Ｂの内周端と外周壁１５Ａの上端とを全周に亘り繋いだ傾斜壁１５Ｃを有している。リム１５は、図３に示すように、縦断面形状がほぼ３角形状である。リム１５は前側長辺部１５Ｊが後側長辺部１５Ｋより低い位置に形成されている。また、リム１５は前側長辺部１５Ｊの中央部１５Ｐが後方に膨らむように僅かに湾曲している。
【００２０】
リム１５は、図３に示すように、外周壁１５Ａ、底壁１５Ｂ、及び傾斜壁１５Ｃで囲まれた通水空間１５Ｇを形成している。通水空間１５Ｇは、後述する直径が２種類の各吐水孔１５Ｈ，１５Ｎから洗浄水を吐水するために洗浄水を通水する空間である。リム１５は底壁１５Ｂに貫設された複数の吐水孔１５Ｈ，１５Ｎを有している。各吐水孔１５Ｈ，１５Ｎはリム１５の底壁１５Ｂに対して鉢１４に向けて僅かに傾斜して（約５°程度）貫設されている。また、各吐水孔１５Ｈ，１５Ｎはリム１５の底壁１５Ｂの全周に亘り１列に設けられている。また、各吐水孔１５Ｈ，１５Ｎはリム１５の底壁１５Ｂの幅方向のほぼ中央に設けられている。ここで、吐水孔１５Ｈは直径が吐水孔１５Ｎの直径に比べて大きく形成されている。
【００２１】
この汚物流しは、図２及び図３に示すように、リム１５の後側の傾斜壁１５Ｃの上端から、斜め後方上方に向けて連続して延びる平面部１５Ｄが設けられている。また、この汚物流しは平面部１５Ｄの後端から上方に向けて連続して延びる後側壁１５Ｅが設けられている。また、この汚物流しは、リム１５の左側短辺部１５Ｌ及び右側短辺部１５Ｍのそれぞれの外周壁１５Ａの上端から上方に向けて連続して延びる左右側壁１５Ｆが形成されている。この左右側壁１５Ｆは上端の前側がリム１５の左側短辺部１５Ｌ及び右側短辺部１５Ｍの前側の上端に連続している。また、この左右側壁１５Ｆは上端の後側が後側壁１５Ｅの左右両側の上端に連続している。
【００２２】
第１吐水口１６は、図４に示すように、リム１５の前側長辺部１５Ｊの右側、リム１５の右側短辺部１５Ｍ、及びリム１５の右側短辺部１５Ｍと後側長辺部１５Ｋとの角部に設けられた１３個の吐水孔１５Ｈ，１５Ｎから構成されている。詳しくは、第１吐水口１６は、直径の大きい１１個の吐水孔１５Ｈと、直径の小さい２個の吐水孔１５Ｎによって構成されている。このため、第１吐水口１６から吐水される洗浄水によって形成される主流１６Ａは後述する第２吐水口１７から吐水される洗浄水によって形成される副流１７Ａよりも大流量になる。
【００２３】
第２吐水口１７は、リム１５の前側長辺部１５Ｊの左側、リム１５の左側短辺部１５Ｌ、及びリム１５の左側短辺部１５Ｌと後側長辺部１５Ｋとの角部に設けられた直径の小さい１１個の吐水孔１５Ｎから構成されている。第２吐水口１７を構成するリム１５の前側長辺部１５Ｊの左側、及びリム１５の左側短辺部１５Ｌに設けられた８個の吐水孔１５Ｎは、第１吐水口１６を形成する各吐水孔１５Ｈの間隔よりも僅かに広い間隔を有している。このため、第２吐水口１７から吐水される洗浄水によって形成される副流１７Ａは第１吐水口１６から吐水される洗浄水によって形成される主流１６Ａに比べ小流量である。また、リム１５の後側長辺部１５Ｋは直径の大きい吐水孔１５Ｈと直径の小さい吐水孔１５Ｎとが混在しており、これら吐水孔１５Ｈ，１５Ｎから吐水された洗浄水は鉢１４の後部中央を経由して第１立壁１１に流下する。
【００２４】
周囲壁１８は、図１及び図３に示すように、鉢１４の上端部から下方に向けて連続して延びて、鉢１４の前側及び左右側を覆っている。周囲壁１８は下に行くに従い内側に入り込んでいる。周囲壁１８は下端が排水路１０の流入口１０Ｂの下端より僅かに下方に突出している。周囲壁１８は下端が水平方向に平らである。
【００２５】
次に、リム１５の各吐水孔１５Ｈ，１５Ｎから吐水される洗浄水の流れについて説明する。第１吐水口１６は直径の大きい吐水孔１５Ｈを多く含んでいる。このため、第１吐水口１６から洗浄水が吐水されると、図４に示すように、鉢１４の表面形状によって１つにまとまり大流量の主流１６Ａとなる。詳しくは、第１吐水口１６の内、リム１５の前側長辺部１５Ｊと右側短辺部１５Ｍとの角部から最も大流量の洗浄水が吐水され、この流れに他の第１吐水口１６から吐水された洗浄水が合流し、１つにまとまった主流１６Ａとなる。この主流１６Ａは、第２立壁１２の右側の上端から斜め下方に流れて第１立壁１１の表面に衝突する。そして、主流１６Ａは、左側の第２立壁１２に向けて斜め下方に流れて、左側の第２立壁１２の表面に衝突する。さらに、主流１６Ａは、右側の第２立壁１２に向けて斜め下方に流れて、右側の第２立壁１２の表面に衝突する。このように、主流１６Ａは、第１立壁１１、左側の第２立壁１２、及び右側の第２立壁１２のそれぞれの表面に衝突することにより反時計方向への過旋回を抑制することができ、第１立壁１１と第２立壁１２との間で汚物と洗浄水とを満遍なく攪拌することができる。また、主流１６Ａは下方向の流れも有しているため、排水路１０の流入口１０Ｂに向けた流れが生じている。
【００２６】
また、主流１６Ａは、第２立壁１２の右側の上端から斜め下方に流れて第１立壁１１の表面に衝突した後、第２立壁１２の下端部に設けられた左側の棚部１２Ａに向けて斜め下方に流れて棚部１２Ａの表面に衝突する。これによって、第１立壁１１と第２立壁１２との間での汚物と洗浄水との攪拌を助長することができる。
【００２７】
第２吐水口１７は、吐水孔１５Ｎの直径が小さいため、洗浄水が吐水されると、鉢１４の表面形状によって１つにまとまり小流量の副流１７Ａとなる。この副流１７Ａは、主流１６Ａの流れと異なる位置で、第２立壁１２の上端から第１立壁１１と第２立壁１２との間に向けて流下する。詳しくは、副流１７Ａは、主流１６Ａと異なる方向（互いに向かい合う方向）から、第１立壁１１の左右方向にほぼ平行に第１立壁１１と第２立壁１２との間に流れ込む。この副流１７Ａは主流１６Ａによって第１立壁１１と第２立壁１２との間で攪拌されている汚物と洗浄水とを排水路１０の流入口１０Ｂへ押し込む流れとなる。また、第１吐水口１６及び第２吐水口１７以外の吐水孔１５Ｈ，１５Ｎから吐水される洗浄水は、溜水部１３に向けて直線状に流下する。
【００２８】
このような構成を有する汚物流しは、左右方向に拡がり上下方向に延びた第１立壁１１に対して、主流１６Ａが斜め前方の第２立壁１２の上端から第１立壁１１の表面に向けて斜め下方に流れて、第１立壁１１の表面に衝突する。第１立壁１１の表面に衝突した洗浄水は、下方向の流れも有しているため、排水路１０の流入口１０Ｂに向けた流れが生じる。このため、第１立壁１１と第２立壁１２との間で汚物と洗浄水とを撹拌しつつ、浮遊汚物や重い汚物を排水路１０へ搬送することができる。
【００２９】
したがって、本発明の汚物排出装置である汚物流しは汚物を良好に排出することができる。
【００３０】
また、実施例の汚物流しは、第１立壁１１と第２立壁１２との間に形成された溜水面１３Ａの形状が三角形状である。このため、この汚物流しは、溜水面１３Ａを三角形状にする第１立壁１１と第２立壁１２とのそれぞれの表面に主流１６Ａが衝突することで、主流１６Ａの反時計方向への過旋回を抑制することができ、汚物と洗浄水とを満遍なく撹拌しつつ、排水路１０の流入口１０Ｂに向けた流れを生じさせることができる。よって、この汚物流しは、汚物を排水路１０に良好に搬送し、排出することができ、さらに、溜水面１３Ａを狭くすることができる。
【００３１】
また、実施例の汚物流しは、主流１６Ａの流れと異なる位置で第２立壁１２の上端から第１立壁１１と第２立壁１２との間に向けた下方に流れる副流１７Ａを吐水する第２吐水口１７を備えている。この場合、この汚物搬出装置は、主流１６Ａによって第１立壁１１と第２立壁１２との間で攪拌された汚物と洗浄水とを副流１７Ａが排水路１０の流入口１０Ｂに押し込むため、汚物を排水路１０へ良好に搬送し、排出することができる。
【００３２】
本発明は上記記述及び図面によって説明した実施例に限定されるものではなく、例えば次のような実施例も本発明の技術的範囲に含まれる。
（１）実施例では、第１立壁と第２立壁とで囲まれた溜水面の形状は三角形状であるが、三角形状でなくてもよく、半円形状や、多角形状等であってもよい。
（２）実施例では、第１吐水口及び第２吐水口の孔が円形形状であるが、円形形状でなくてもよく。長円形状や、楕円形状等であってもよい。
（３）実施例では、溜水部に棚部を設けているが、設けなくてもよい。
（４）実施例では、主流と副流とが互いに向かい合う方向から流れているが、向かい合う方向でなくてもよい。
（５）実施例では、オストメイト用壁掛け汚物流しであったが、オストメイト用に限らない汚物流しや水洗式便器であってもよい。
（６）実施例では、主流が第２立壁の右側の上端から斜め下方に流れて第１立壁の表面に衝突したが、主流が第２立壁の左側の上端から斜め下方に流れて第１立壁の表面に衝突するようにしてもよい。
（７）実施例では、第２吐水口から吐水される洗浄水で副流が生じたが、副流を生じさせなくてもよい。
【符号の説明】
【００３３】
１０…排水路
１０Ｂ…流入口
１１…第１立壁
１２…第２立壁
１３…溜水部
１３Ａ…溜水面
１４…鉢
１６…第１吐水口
１６Ａ…主流
１７…第２吐水口
１７Ａ…副流
【図１】
0006338501.tif 000002
【図２】
0006338501.tif 000003
【図３】
0006338501.tif 000004
【図４】
0006338501.tif 000005